(57)【要約】【課題】最低限の立体構築によって既存の自動車交通等との最低限の分離を最低限に行い、定時性と速達性を持たせつつ競争力を維持して建設コストの低減が可能な道路上空へ構築される都心地域へ増強される交通システムを提供する。【解決手段】都心地域の複合交通システムにおいて、複数車線を有するとともに中央部にホーム２が設けられる下層走行路１と、この下層走行路１の中央部のホーム２から上空に最小限の桁幅を有するほぼ断面がＴ字形状の上層走行路３と、この上層走行路３の中央部に構築される島状停留所４と、この島状停留所４の中央部に前記上層走行路３と下層走行路１を接続する垂直方向の昇降路（エレベータ）５と前記島状停留所４の上流部と下流部にそれぞれ前記上層走行路３と下層走行路１を接続する傾斜方向の昇降路（エスカレータ、又は階段）６，７とを構築する。【選択図】図１
2008106436.tif 000002
【特許請求の範囲】
【請求項１】
（ａ）複数車線を有するとともに中央部にホームが設けられる下層走行路と、
（ｂ）該下層走行路の中央部のホームから上空に最小限の桁幅を有するほぼ断面がＴ字形状の上層走行路と、
（ｃ）該上層走行路の中央部に構築される島状停留所と、
（ｄ）該島状停留所の中央部に前記上層走行路と下層走行路を接続する垂直方向の昇降路と該島状停留所の上流部と下流部にそれぞれ前記上層走行路と下層走行路を接続する傾斜方向の昇降路とを構築することを特徴とする都心地域へ増強される交通システム。
【請求項２】
請求項１記載の都心地域へ増強される交通システムにおいて、前記島状停留所の上流部と下流部の傾斜方向の昇降路はフード付きの階段であることを特徴とする都心地域へ増強される交通システム。
【請求項３】
請求項１記載の都心地域へ増強される交通システムにおいて、前記島状停留所の上流部と下流部の傾斜方向の昇降路はフード付きのエスカレータであることを特徴とする都心地域へ増強される交通システム。
【請求項４】
請求項１、２又は３記載の都心地域へ増強される交通システムにおいて、前記島状停留所の上層走行路の出入口に位置する走行路は立体的な構造を有し、前記島状停留所に接続されることを特徴とする都心地域へ増強される交通システム。
【請求項５】
請求項１、２又は３記載の都心地域へ増強される交通システムにおいて、前記島状停留所と島状停留所とを接続する走行路は複数並行走行路を備えることを特徴とする都心地域へ増強される交通システム。
【発明の詳細な説明】
【技術分野】
【０００１】
本発明は、都心地域へ増強される交通システムに関するものである。
【背景技術】
【０００２】
例えば、図５に示すような四車線の道路における従来のＬＲＴ（Ｌｉｇｈｔ  Ｒａｉｌ  Ｔｒａｎｓｉｔ）・バス複合システムでは、図６に示すように、ＬＲＴ・バス専用走行レーン１０１，１０３は、自動車走行レーン１０２の両側に新たに路面軌道を敷設して構築する必要がある。
【０００３】
新たな交通システム走行路（線路・ガイドウエイを含む）を建設、設置する場合、特に、市街地や住宅地等の都市周辺地域では用地確保が困難となる。
【０００４】
高価な用地買収は、交通システム開通後の運賃や維持経費に転嫁され、経営継続困難な状況に至らしめる場合があり、一方、用地買収が容易な郊外だけに路線建設しても利用客が集まらずに経営が破綻する傾向がある。
【０００５】
このような背景から、新規交通システムは利用客が見込めるものの用地買収が困難な地域に最低限の結節を図りながらも、全線にわたって建設費低減可能な構築を行わないと運営・維持管理が不可能なものとなる。
【０００６】
郊外エリアでも地平構築は道路平面交差の問題も生じ、一般自動車と混在する路面軌道の長距離設備は低速運転や混雑の点で速達性、定時制を欠き乗客離れを加速するものとなる。
【０００７】
なお、本願の発明者は、既に、懸垂式モノレールと路面電車とを組み合わせ、懸垂式モノレールの軌道桁下に絶縁物を介して架線を配置し、路面電車のパンタグラフを介して給電し、路面電車を懸垂式モノレールと合流させるようにした複合交通システムを提案している（下記特許文献１参照）。
【特許文献１】特許第３５４５３１６号公報
【発明の開示】
【発明が解決しようとする課題】
【０００８】
新規な交通システムの構築においても、利用客の見込めない郊外設置だけでは採算性が不足するため、狭隘な都市市街地への結節も重要な課題となる。
【０００９】
低廉な建設費と運営費を標榜する複合交通システムにおいて、例えば都市内の道路上空や水路上空等による建設を行えば、用地取得コストが低減できる。
【００１０】
ただし、かかる交通システムの構築にあたっては、狭隘部であるため設置可能な走行路幅や駅・停留所の配置にも制約が生ずることとなる。
【００１１】
本発明は、上記状況に鑑みて、最低限の立体構築によって既存の自動車交通等との最低限の分離を最低限に行い、定時性と速達性を持たせつつ競争力を維持して建設コストの低減が可能な道路上空へ構築される都心地域へ増強される交通システムを提供することを目的とする。
【００１２】
また、複数の異種交通手段の複合化により、運転頻度向上や乗換え利便性の向上、走行路共有化による建設、維持管理保守コストの低減を図り得る、都心地域へ増強される交通システムを提供することを目的とする。
【００１３】
すなわち、道路上空等に安価に複合交通システムを構築するための改善策を提供することにある。
【００１４】
また、ガイドウエイバスとＬＲＴ車両で共用する複合交通システムの場合、いずれも桁やレールに操舵される運転形態となるため複線線路構築においても建設最大幅が一般道路以下に縮小可能で建設費も安価にできる。
【００１５】
しかしながら、駅・停留所部においては運転される車両の特異な形態による制約で、進行左側に上下線個別にホームを設置する対向式ホーム配列を選択せざるをえない。この場合、両側ホームを含めた全幅が広くなり、建設規模が大きくなってコストが上昇するばかりか、地上等との立体移動に必要な階段やエレベータを複数設置することになり、建設コストだけでなく運営、保守コストも増大することになる。
【００１６】
また、道路及び一般鉄道は、例えば日本においては左側通行に統一されているが、複合交通専用軌道においては逆の右側通行構築とすることで左側専用ドア扱い構造バス・ＬＲＴ車両のままで島式ホーム構築が可能となり、複線路の停留所及び駅構築をスリム化でき、コスト削減効果も大きい都心地域へ増強される交通システムを構築することができる。
【課題を解決するための手段】
【００１７】
本発明は、上記目的を達成するために、
〔１〕都心地域へ増強される交通システムにおいて、複数車線を有するとともに中央部にホームが設けられる下層走行路と、この下層走行路の中央部のホームから上空に最小限の桁幅を有するほぼ断面がＴ字形状の上層走行路と、この上層走行路の中央部に構築される島状停留所と、この島状停留所の中央部に前記上層走行路と下層走行路を接続する垂直方向の昇降路と該島状停留所の上流部と下流部にそれぞれ前記上層走行路と下層走行路を接続する傾斜方向の昇降路とを構築することを特徴とする。
【００１８】
〔２〕上記〔１〕記載の都心地域へ増強される交通システムにおいて、前記島状停留所の上流部と下流部の傾斜方向の昇降路は、フード付きの階段であることを特徴とする。
【００１９】
〔３〕上記〔１〕記載の都心地域へ増強される交通システムにおいて、前記島状停留所の上流部と下流部の傾斜方向の昇降路は、フード付きのエスカレータであることを特徴とする。
【００２０】
〔４〕上記〔１〕、〔２〕又は〔３〕記載の都心地域へ増強される交通システムにおいて、前記島状停留所の上層走行路の出入口に位置する走行路は立体的な構造を有し、前記島状停留所に接続されることを特徴とする。
【００２１】
〔５〕上記〔１〕、〔２〕又は〔３〕記載の都心地域へ増強される交通システムにおいて、前記島状停留所と島状停留所とを接続する走行路は複数並行走行路を備えることを特徴とする。
【発明の効果】
【００２２】
本発明によれば、次のような効果を奏することができる。
【００２３】
（１）都心部の道路上空へ新たな交通システムを低コストで構築することができる。
【００２４】
（２）上層走行路の停留所から下層走行路のホームへの移動が円滑であり、乗換えを容易にすることができる。
【００２５】
また、ガイドウエイバス及びＬＲＴ車両は、例えば片側（左側）にしかドアの無い簡易な従来車体構造のまま導入可能となり、あわせて狭隘空間に複合共用交通路を小規模に設置可能となるため、車両、施設ともにコスト削減が可能となる。
【発明を実施するための最良の形態】
【００２６】
本発明の都心地域へ増強される交通システムは、複数車線を有するとともに中央部にホームが設けられる下層走行路と、この下層走行路の中央部のホームから上空に最小限の桁幅を有するほぼ断面がＴ字形状の上層走行路と、この上層走行路の中央部に構築される島状停留所と、この島状停留所の中央部に前記上層走行路と下層走行路を接続する垂直方向の昇降路と該島状停留所の上流部と下流部にそれぞれ前記上層走行路と下層走行路を接続する傾斜方向の昇降路とを構築する。
【実施例】
【００２７】
以下、本発明の実施の形態について詳細に説明する。
【００２８】
図１は本発明の実施例を示す右側通行島式の道路上空へ構築される交通システムの横断面図、図２はその交通システムの上空からみた平面図、図３はその複合交通システムの島状停留所の模式斜視図、図４はそのバスとＬＲＴ車両が乗り入れた右側通行島式の道路上空へ構築される複合交通システムの模式図である。
【００２９】
これらの図において、１は複数車線を有するとともに中央部にホーム２が設けられる下層走行路、３はこの下層走行路１の中央部のホーム２から上空に最小限の桁幅を有するほぼ断面がＴ字形状の上層走行路であり、この上層走行路３には脚部３Ａと両側の壁３Ｂと桁３Ｃに構築される第１の道路３Ｄと第２の道路３Ｅとが設けられる。４はその上層走行路３の中央部に構築される島状停留所、５はその島状停留所４の中央部に設けられる上層走行路３と下層走行路１を接続する垂直方向の昇降路（エレベータ）、６，７はその島状停留所４の上流部と下流部にそれぞれ設けられる、上層走行路３と下層走行路１を接続する傾斜方向の昇降路（エスカレータ、又は階段）である。なお、例えば、第１の道路３Ｄには第１の車両（例えば、ＬＲＴ車両）８、第２の道路３Ｅには第２の車両（例えば、ガイドウエイバス（通常の乗合バスでもよい））９が運行される。また、第１の道路３Ｄと第２の道路３Ｅは、図２に示すように、郊外の地域Ｂより、都心地域Ａに入る地点Ｃで立体的な構造となっており、都心地域Ａでは第１の道路３Ｄと第２の道路３Ｅは、平行に配置され、また、都心地域Ａから郊外の地域Ｂに入る地点Ｃで立体的な構造となっている。なお、１０は上層走行路３のＴ字形状の支持橋脚であり、このＴ字形状の支持橋脚１０の上部は上層走行路３の幅程度であり、下部は狭められて下部の下層走行路１のホーム２の端部に構築されるようになっている。
【００３０】
このように構成されるので、下流の郊外の地域Ｂ２より入ってくる第１の車両（ＬＲＴ車両）８は上流の郊外の地域Ｂ１からみて島状停留所４の左側に停車することにより、乗車客を下ろしたり、乗車させることができる。その島状停留所４で降りた者は、島状停留所４の中央部に配置されている上層走行路３と下層走行路１を接続する垂直方向の昇降路（エレベータ）５又は島状停留所４の上流部と下流部にそれぞれ設けられる上層走行路３と下層走行路１を接続する傾斜方向の昇降路（エスカレータ、又は階段）６，７を利用して下層走行路１の中央部のホーム２に下りてそれぞれの交通機関に乗り換えることができる。
【００３１】
また、上流の郊外の地域Ｂより入ってくる第２の車両（ガイドウエイバス）９も上流からみて島状停留所４の右側に停まり、乗車客を下ろしたり、乗車させることができる。その島状停留所４で降りた者は、島状停留所４の中央部に配置されている上層走行路３と下層走行路１を接続する垂直方向の昇降路（エレベータ）５又は島状停留所４の上流部と下流部にそれぞれ設けられる上層走行路３と下層走行路１を接続する傾斜方向の昇降路（エスカレータ、又は階段）６，７を利用して下層走行路１の中央部のホーム２に下りてそれぞれの交通機関に乗り換えることができる。
【００３２】
本発明によれば、都心地域の道路上空へ新たな道路交通システムを低コストで構築することができる。また、上層走行路の停留所から下層走行路のホームへの移動が円滑であり、乗換えを容易にすることができる。さらに、新たな道路交通網としての例えばガイドウエイバス及びＬＲＴ車両は、例えば片側（左側）にしかドアの無い簡易な従来車体構造のまま導入可能となり、あわせて狭隘空間に複合共用交通路を小規模に設置可能となるため、車両、施設ともにコスト削減が可能となる。
【００３３】
なお、本発明は上記実施例に限定されるものではなく、本発明の趣旨に基づいて種々の変形が可能であり、これらを本発明の範囲から排除するものではない。
【産業上の利用可能性】
【００３４】
本発明の都心地域へ増強される交通システムは、低コストで構築することができる都心地域の道路上空への新たな道路交通システムとして利用することができる。
【図面の簡単な説明】
【００３５】
【図１】本発明の実施例を示す右側通行島式の狭隘道路上空へ構築される複合交通システムの横断面図である。
【図２】本発明の実施例を示す右側通行島式の狭隘道路上空へ構築される複合交通システムの上空から見た平面図である。
【図３】本発明の実施例を示す複合交通システムの島状停留所の模式斜視図である。
【図４】本発明の実施例を示すバスとＬＲＴ車両が乗り入れた右側通行島式の道路上空へ構築される複合交通システムの図面代用の模式図である。
【図５】従来の四車線の道路を示す図面代用の模式図である。
【図６】従来の問題点を示す複合交通システムの模式図である。
【符号の説明】
【００３６】
１    下層走行路
２    下層走行路の中央部のホーム
３    上層走行路
３Ａ    橋脚
３Ｂ    壁
３Ｃ    桁
３Ｄ    第１の道路
３Ｅ    第２の道路
４    上層走行路の島状停留所
５    垂直方向の昇降路（エレベータ）
６，７    傾斜方向の昇降路（エスカレータ、又は階段）
８    第１の車両（ＬＲＴ車両）
９    第２の車両（ガイドウエイバス）
１０    Ｔ字形状の支持橋脚
Ａ    都心地域
Ｂ１  上流の郊外の地域
Ｂ２  下流の郊外の地域
Ｃ    郊外の地域Ｂより都心地域Ａに入る地点
【図１】
2008106436.tif 000003
【図２】
2008106436.tif 000004
【図３】
2008106436.tif 000005
【図６】
2008106436.tif 000006
【図４】
2008106436.tif 000007
【図５】
2008106436.tif 000008